(57)【要約】【課題】本発明は、記録媒体の情報記録、再生方法に関するもので、記録、または再生が安定的に行える様にすることを目的とするものである。【解決手段】そして、この目的を達成するために本発明は、内部に、多層状態でホログラム４５を有する記録媒体４０への記録時、または再生時に、この記録媒体４０の一面側から光を照射する記録媒体４０の情報記録、再生方法であって、前記記録時、または再生時に、前記記録媒体４０の一面側からホログラム４５に照射する光の波長を、この記録媒体４０の内部にホログラム４５を形成する時に、この記録媒体４０に共役マスターディスク１９を重合させ、この重合体の一方から入射させる参照光２９の波長、および前記重合体の他方から、入射させる記録光３０の波長よりも、短くした。【選択図】図４
2011023049.tif 000002
【特許請求の範囲】
【請求項１】
内部に、多層状態でホログラムを有する記録媒体への記録時、または再生時に、この記録媒体の一面側から光を照射する記録媒体の情報記録、再生方法であって、前記記録時、または再生時に、前記記録媒体の一面側からホログラムに照射する光の波長を、この記録媒体の内部にホログラムを形成する時に、この記録媒体に共役マスターディスクを重合させ、この重合体の一面側と他面側の一方から、この重合体に入射させる参照光の波長、および前記重合体の一面側と他面側の他方から、この重合体に入射させる記録光の波長よりも、短くする記録媒体の情報記録、再生方法。
【請求項２】
共役マスターディスクのホログラムは、この共役マスターディスクに、ダミーディスクを重ね、次に、これら共役マスターディスク、ダミーディスクの重合体の共役マスターディスク外から、この重合体に向けて参照光と、記録光の一方を入射させるとともに、この重合体のダミーディスク外から、この重合体に向けて参照光と、記録光の他方を入射させて形成したものである請求項１に記載の記録媒体の情報記録、再生方法。
【請求項３】
共役マスターディスクのホログラムは、透明回転テーブルの一面側に、共役マスターディスクと、ダミーディスクを順に重ね、次に、これら透明回転テーブル、共役マスターディスク、ダミーディスクの重合体の前記透明回転テーブル外から、この重合体に向けて参照光と、記録光の一方を入射させるとともに、この重合体のダミーディスク外から、この重合体に向けて参照光と、記録光の他方を入射させて形成したものである請求項２に記載の記録媒体の情報記録、再生方法。
【請求項４】
共役マスターディスクのホログラムを形成する際の参照光および、記録光の波長よりも、この共役マスターディスクを用いて記録媒体内にホログラムを形成する際の参照光および、記録光の波長を、短くした請求項１〜３のいずれか一つに記載の記録媒体の情報記録、再生方法。
【発明の詳細な説明】
【技術分野】
【０００１】
本発明は、厚さ方向に、複数のホログラム層を多層状態で設けた記録媒体の情報記録、再生方法に関するものである。
【背景技術】
【０００２】
近年、記録容量を大きくするために、下記特許文献１に示すごとく、多層記録された記録媒体が提案されている。
【０００３】
すなわち、下記特許文献１に示すものでは、図１８（ｃ）のごとく、円板状の記録媒体１内の厚さ方向に、複数のホログラム層２を多層状態で設けているので、記録容量は極めて大きくなる。
【０００４】
この特許文献１に示した従来例の特徴点は、記録媒体１内に、マイクロホログラム３が渦巻状に配置されたホログラム層２を、複数層設けているので、この記録媒体１への記録時でも、再生時でも、記録媒体１の片側から、そのマイクロホログラム３に向けて光を照射すれば良いという点である。
【０００５】
すなわち、記録時には、記録媒体１の片側から、その記録部分のマイクロホログラム３に光を照射し、光学的な変質を起こさせ、マイクロホログラム３を消失させる部分と、光を照射せず、マイクロホログラム３を残存させる部分とを形成することで、デジタル的な記録を行うことができる。
【０００６】
また、再生時にも、記録媒体１の片側から、マイクロホログラム３の消失部分と、マイクロホログラム３の残存部分に光を照射し、そこからの反射光を読み取れば、デジタル的な再生を行うことができる。
【先行技術文献】
【特許文献】
【０００７】
【特許文献１】米国特許第７３８８６９５号明細書
【発明の概要】
【発明が解決しようとする課題】
【０００８】
上記従来例においては、下記の手順により記録媒体１を製造している。
【０００９】
先ず、図１５に示す様に、マスターディスク４の一外面側から（例えば上面から）、このマスターディスク４に向けて参照光５を入射させるとともに、このマスターディスク４の他外面側から（例えば下面から）、このマスターディスク４に向けて記録光６を入射させ、マスターディスク４内にマイクロホログラム７を形成し、これによりマスターディスク４を完成させる。
【００１０】
次に、図１６に示す様に、マスターディスク４に共役マスターディスク８を重合させ、その状態で図１７（ａ）のごとく、共役マスターディスク８側から平行光９を入射させる。
【００１１】
すると、図１７（ｂ）のごとく、マスターディスク４内のマイクロホログラム７からの反射光１０が発生し、この反射光１０と前記平行光９が共役マスターディスク８内で干渉することで、この共役マスターディスク８内にホログラム１１が形成される。つまり、これにて共役マスターディスク８が完成する。
【００１２】
その後、図１８（ａ）に示す様に、共役マスターディスク８に、まだブランクディスク状態の記録媒体１を重合させ、記録媒体１側から平行光１２を入射させる。
【００１３】
すると、図１８（ｂ）に示す様に、ホログラム１１からの反射光１３が発生し、この反射光１３と前記平行光１２がブランクディスク状態の記録媒体１内で干渉することで、この記録媒体１内にマイクロホログラム３が形成される。つまり、記録媒体１が完成する。
【００１４】
以上の製造方法において問題となるのは、記録媒体１への記録、再生状態が安定的に行えないと言うことであった。
【００１５】
すなわち、図１５に示す様に、マスターディスク４を製造する際には、マスターディスク４の一外面側から（例えば上面から）、このマスターディスク４に向けて参照光５を入射させるとともに、このマスターディスク４の他外面側から（例えば下面から）、このマスターディスク４に向けて記録光６を入射させ、これによりマスターディスク４内にマイクロホログラム７を形成している。
【００１６】
この時、このマスターディスク４製造時には、高エネルギーの参照光５と高エネルギーの記録光６とを、マスターディスク４内において直接的に干渉させる。
【００１７】
このため、この干渉部において、常温（例えば２０度）から温度上昇（例えば約７０度以上）が生じており、この温度上昇でマスターディスク４は膨張し、そしてこの様にマスターディスク４自体が膨張した状態で、図１５のごとく、マイクロホログラム７が形成される。
【００１８】
次に、図１６に示す共役マスターディスク８製造時には、マスターディスク４に共役マスターディスク８を重合させ、その状態で図１７（ａ）のごとく、共役マスターディスク８側から平行光９を入射させる。
【００１９】
すると、図１７（ｂ）のごとく、マスターディスク４内のマイクロホログラム７からの反射光１０が発生し、この反射光１０と前記平行光９が、共役マスターディスク８内で干渉することで、この共役マスターディスク８内にホログラム１１が形成される。
【００２０】
しかし、この時には、マスターディスク４にも、片側から平行光９を入射させるだけであるので、マスターディスク４は常温（例えば２０度）からそれほど温度上昇しない。
【００２１】
つまり、この共役マスターディスク８製造時には、マスターディスク４は、マスターディスク４製造時の状態からは、大きく収縮した状態となっている。一方、共役マスターディスク８は、平行光９とマスターディスク４内のマイクロホログラム７からの反射光１０が衝突して光の干渉状態が発生するので、常温（例えば２０度）から温度上昇（例えば約７０度以上）が生じている。
【００２２】
このため、共役マスターディスク８内に形成されるホログラム１１は、マスターディスク４の製造時からの収縮の影響を受けた状態（理解を助けるために、例えば、若干小さ目の状態と表現する）で記録され、記録後に共役マスターディスク８自体も温度低下で収縮するので、マスターディスク４作製時の収縮と共役マスターディスク８作製時の収縮の影響が積算されて残存する。
【００２３】
そしてこの様に、マスターディスク４の収縮による影響を受けた共役マスターディスク８を用いて、今度は図１８のごとく記録媒体１を製造する。
【００２４】
この記録媒体１の製造時には、上述のごとく、共役マスターディスク８にブランクディスク状態の記録媒体１を重合させ、記録媒体１側から平行光１２を入射させるだけであるので、共役マスターディスク８は、常温（例えば２０度）からそれほど温度上昇しない状態で、この記録媒体１が製造される。
【００２５】
一方、記録媒体１は平行光１２と共役マスターディスク８のホログラム１１からの反射光が衝突して、光の干渉状態を起こすので、常温（例えば２０度）から温度上昇（例えば約７０度以上）した状態となっている。
【００２６】
つまり、記録媒体１には、上述したマスターディスク４の収縮と、共役マスターディスク８作製時の収縮による影響と、記録媒体１製造時の収縮の影響とが積算されて残った状態となる。
【００２７】
記録媒体１の再生時には、この記録媒体１が常温の状態（温度上昇しない状態）で再生されるので、この記録媒体１に、上述のような各工程での積算された影響が残った状態になっていると、記録、再生が安定的に行えないことになる。
【００２８】
そこで、本発明は、記録媒体への記録、再生が安定的に行える様にすることを目的とするものである。
【課題を解決するための手段】
【００２９】
そして、この目的を達成するために本発明は、内部に、多層状態でホログラムを有する記録媒体への記録時、または再生時に、この記録媒体の一面側から光を照射する記録媒体の情報記録、再生方法であって、前記記録時、または再生時に、前記記録媒体の一面側からホログラムに照射する光の波長を、この記録媒体の内部にホログラムを形成する時に、この記録媒体に共役マスターディスクを重合させ、この重合体の一面側と他面側の一方から、この重合体に入射させる参照光の波長、および前記重合体の一面側と他面側の他方から、この重合体に入射させる記録光の波長よりも、短くし、これにより所期の目的を達成するものである。
【発明の効果】
【００３０】
以上の様に本発明は、内部に、多層状態でホログラムを有する記録媒体への記録時、または再生時に、この記録媒体の一面側から光を照射する記録媒体の情報記録、再生方法であって、前記記録時、または再生時に、前記記録媒体の一面側からホログラムに照射する光の波長を、この記録媒体の内部にホログラムを形成する時に、この記録媒体に共役マスターディスクを重合させ、この重合体の一面側と他面側の一方から、この重合体に入射させる参照光の波長、および前記重合体の一面側と他面側の他方から、この重合体に入射させる記録光の波長よりも、短くしたものであるので、記録媒体の記録、または再生が安定的に行えることになる。
【００３１】
すなわち、本発明において用いる記録媒体は、その内部にホログラムを形成する時に、この記録媒体に共役マスターディスクを重合させ、この重合体の一方から、参照光をこの重合体に入射させ、他方から、記録光をこの重合体に入射させることにより上述したホログラムを形成している。
【００３２】
すなわち、記録媒体は温度上昇した状態で製造されているので、これには温度上昇による影響が残った状態となっている。
【００３３】
また、この記録媒体の記録、または再生時には、前記記録媒体の一面側からホログラムに光を照射するだけなので、この記録媒体は殆ど温度上昇しない。
【００３４】
つまり、記録媒体製造時に残った温度上昇による影響は、今度は熱収縮状態としてこの記録媒体に残った状態となる。
【００３５】
このため、本発明では、この記録時、または再生時に、前記記録媒体の一面側からホログラムに照射する光の波長を、上述した記録媒体内部のホログラムを形成時の参照光および記録光の波長よりも、短くした。
【００３６】
すなわち、この記録時、または再生時には、記録媒体自体がそのホログラム形成時よりも熱収縮しているので、この記録時、または再生時に、記録媒体の一面側からホログラムに照射する光の波長を、上述した記録媒体内部のホログラムを形成時の参照光および記録光の波長よりも、短くした。
【００３７】
この結果、記録媒体製造時に残った温度上昇による影響を受けることなく、記録媒体の記録、または再生が行えるので、この記録、または再生が安定的に行えることになるのである。
【図面の簡単な説明】
【００３８】
【図１】本発明の一実施形態にかかる共役マスターディスクの製造方法を示すブロック図
【図２】同要部構成図
【図３】同共役マスターディスクを示す図
【図４】同共役マスターディスクを用いた記録媒体の製造方法を示すブロック図
【図５】同要部構成図
【図６】同光の強度を示す図
【図７】同要部構成図
【図８】同要部構成図
【図９】同光の強度を示す図
【図１０】同記録媒体を示す図
【図１１】同記録媒体を示す図
【図１２】同記録媒体を示す図
【図１３】同記録媒体を示す図
【図１４】同光の強度を示す図
【図１５】従来の製造方法を示す図
【図１６】同製造方法を示す図
【図１７】同製造方法を示す図
【図１８】同製造方法を示す図
【発明を実施するための形態】
【００３９】
以下、本発明の一実施形態を、添付図面を用いて説明する。
【００４０】
（実施形態）
図１は本発明の一実施形態を示し、１４は水平配置された円板状の透明回転テーブルで、その中心孔１５には回転軸１６が貫通されている。
【００４１】
回転軸１６と透明回転テーブル１４は一体化されており、回転軸１６をモータ（図示せず）で回転駆動すれば、透明回転テーブル１４も回転駆動される様になっている。
【００４２】
また、透明回転テーブル１４の上面の、内方と外方には、環状の突起１７、１８が設けられており、これらの突起１７、１８に支えられる様に透明回転テーブル１４上面には、共役マスターディスク１９が配置されている。
【００４３】
さらに、共役マスターディスク１９の上面の、内方と外方には、環状の突起２０、２１が設けられており、これらの突起２０、２１上に支えられる様に共役マスターディスク１９上面には、ダミーディスク２２が配置されている。
【００４４】
これらの共役マスターディスク１９とダミーディスク２２も円板状であり、夫々の中心孔２３、２４には、下方より回転軸１６が貫通されており、この回転軸１６の上端部には、磁石よりなる蓋２５が装着されている。
【００４５】
つまり、回転軸１６も磁性体で形成されているので、その上端部に、磁石よりなる蓋２５を磁気的に吸着させているのである。そしてこれにより、透明回転テーブル１４、共役マスターディスク１９、ダミーディスク２２はこの図１のごとく重合した状態で、一体的に回転する様になっている。
【００４６】
なお、下から上に順に、透明回転テーブル１４、共役マスターディスク１９、ダミーディスク２２を積層するために、透明回転テーブル１４の径よりも、共役マスターディスク１９の径を大きくしており、さらに共役マスターディスク１９の径よりも、ダミーディスク２２の径を大きくしている。
【００４７】
つまり、このような積層工程においては、透明回転テーブル１４、共役マスターディスク１９、ダミーディスク２２は、いずれもその外周の数箇所と、その近傍の下部を冶具（図示せず）で保持する様になっているので、この様に下から上に順に積層するものにおいては、上方のものの径を下方のものの径よりも大きくしておく方が、生産性を高めるためには、好ましい。
【００４８】
図１における、２６は長コヒーレント光を出射する光源であり、図１（ｂ）に示す様に波長が４０９ｎｍのレーザー光を出射する。
【００４９】
この光源２６から出射されたレーザー光はレンズ２７で平行光に変換され、その後ハーフミラー２８で分岐され、その一方は直進して参照光２９となり、他方は反射して記録光３０となる。
【００５０】
参照光２９は次にミラー３１で反射し、上記透明回転テーブル１４、共役マスターディスク１９、ダミーディスク２２の積層体の下側から、つまり透明回転テーブル１４側から上方に進むこととなる。
【００５１】
一方、記録光３０は、レンズ３２、３３を介して直進後、ミラー３４で反射し、次にパワー変調素子３５を通過し、その後ミラー３６で反射し、球面収差補正素子３７、対物レンズ３８を介して、上記透明回転テーブル１４、共役マスターディスク１９、ダミーディスク２２の積層体の上側から、つまりダミーディスク２２側から下方に進むこととなる。
【００５２】
ただし、記録光３０は図２のごとく、ダミーディスク２２内で交点を結ぶ様に対物レンズ３８で集光される様になっており、またダミーディスク２２内での交点の深さ位置に応じて、球面収差補正素子３７によって球面収差の補正が行われており、記録光３０は球面収差が無い状態で、交点を結ぶ。この交点がダミーディスク２２内で水平方向に渦巻状に広がる様に移動し、その後ダミーディスク２２内の下層において再び内方から外方へと渦巻状に広がる様に移動し、これが繰り返される。
【００５３】
この点をさらに詳細に説明すると、上述した様に透明回転テーブル１４、共役マスターディスク１９、ダミーディスク２２の積層体は、回転軸１６を介してモータにより回転駆動されている。
【００５４】
そしてこの状態で、積層体の上面側のミラー３６、球面収差補正素子３７、対物レンズ３８は一体で、外方に移動し、またこの移動と連動する様に、積層体の下面側のミラー３１も外方に移動する。
【００５５】
その後、ミラー３６、球面収差補正素子３７、対物レンズ３８の一体物は、図２に示す様に内方に移動し、次に一段、ダミーディスク２２側に接近し、その後は再び外方に移動し、以降はこれを最終段まで繰り返す。
【００５６】
また、このミラー３６、球面収差補正素子３７、対物レンズ３８の一体物の移動と連動する様に、積層体の下面側のミラー３１も、内方から外方への移動を繰り返す。
【００５７】
ただし、ミラー３１側の光は参照光２９であるので、ミラー３１を、透明回転テーブル１４、共役マスターディスク１９、ダミーディスク２２の積層体側に接近させることは無い。
【００５８】
以上の工程を実行すると、図２、図３に示す様に、共役マスターディスク１９内においては、透明回転テーブル１４を通過した参照光２９と、ダミーディスク２２を通過した記録光３０との干渉によるホログラム３９が、多段に形成されることになる。
【００５９】
つまり、以上の工程を実行するだけで、図１６に示した従来のマスターディスク４を作ることなく、直接共役マスターディスク１９を形成できるので、生産性の極めて高いものとなる。
【００６０】
また、本実施形態のごとく作成した共役マスターディスク１９は、参照光２９と記録光３０を直接的に干渉させるもので、これらの参照光２９と記録光３０のエネルギーレベルを自由に調整できるので、共役マスターディスク１９の感光性記録材料を無駄に感光することがなくなり、感光性記録材料のダイナミックレンジを十分に活用することが可能になり、多くの記録多重度が要求される多層構造のマイクロホログラムを有するマイクロホログラムディスクの共役マスターディスク１９の作成が可能になる。
【００６１】
具体的には、共役マスターディスク１９は、入射した光エネルギー量に応じて屈折率が変化する感光性記録材料を含む合成樹脂で形成されており、このようなディスク材料は、異なる体積ホログラムを多重に記録できることが知られている。その多重度は、ディスク内の感光性記録材料を如何に有効に利用できるかによって、大きく変化する。感光性材料を無駄に感光することなく、最も効率良くホログラム３９を作成できるのは、参照光２９と記録光３０によってできる干渉縞のコントラストが最大になるときであり、それは、参照光２９と記録光３０のエネルギーレベルが等しい時である。
【００６２】
一方、参照光２９と記録光３０のエネルギーバランスが大きく異なっていると、参照光２９と記録光３０によってできる干渉縞のコントラストが低くなり、感光性記録材料は直流的に無駄に感光する成分が多くなり、ホログラム記録の多重度が大幅に低くなってしまう。
【００６３】
干渉縞のコントラストｍは、次式で表現することができ、参照光２９と記録光３０のエネルギーレベルが等しい時に、最大値の１になる。
【００６４】
ｍ＝2(Is・Ir)1/2/(Is+Ir)
Is：記録光強度、Ir:参照光強度
本実施形態においては、参照光２９と記録光３０のエネルギーレベルがほぼ等しくなる様に調整することが可能であり、共役マスターディスク１９の感光性記録材料を無駄に感光することがなくなり、多くの記録多重度が要求される多層構造のマイクロホログラムを有するマイクロホログラムディスクの共役マスターディスク１９の作成が可能になる。
【００６５】
なお、参照光２９と記録光３０のいずれか一方あるいは両方を連続光ではなく、パルス光にすることも可能であり、本実施例では、パワー変調素子３５により、記録光３０を高速でオン―オフしており、パルス光で記録することにより感光性記録材料の利用効率をさらに高めている。
【００６６】
図１７の共役マスターディスク８内のホログラム１１は、この図１７に示した様に、共役マスターディスク８側から入射させた平行光９と、マイクロホログラム７からのその反射光１０とを干渉させることで形成したものであり、この状態では反射光１０のエネルギーレベルは平行光９の１／１００程度と極めて低いので、干渉縞のコントラストは最大値の１／５程度になってしまい、感光性記録材料もその１／５程度しか有効に利用されず、記録できるホログラム１１の多重度も１／５以下に低下してしまう。
【００６７】
このため、性能の良い感光性記録材料を用いても、多くの記録多重度が要求される多層構造のマイクロホログラム７を有するマイクロホログラムディスクの共役マスターディスクの作成は非常に困難になる。
【００６８】
これに対して、本実施形態では、参照光２９と記録光３０のエネルギーレベルがほぼ等しくなる様に調整することが可能であり、干渉縞のコントラストは、最大の１になり、感光性記録材料を無駄なく使用することができ、多くの記録多重度が要求される多層構造のマイクロホログラムを有するマイクロホログラムディスクの共役マスターディスク１９の作成が可能になる。
【００６９】
なお、図１７の共役マスターディスク８は、ホログラム１１の記録後に、感光性を無くす定着処理を行う。したがって、図１８のごとく記録媒体１の製造のために、記録媒体１側から平行光１２を入射させても、共役マスターディスク８内のホログラム１１は劣化することはない。
【００７０】
ただ、平行光１２とホログラム１１からの反射光１３の光量がアンバランスであるという問題が残存する。この光量のアンバランスがあると、やはり感光性の記録材料の利用効率が著しく低くなり、作成されるホログラム１１の反射効率が低くなってしまう。
【００７１】
これに対して本実施形態では、図４〜図１４において説明する記録媒体４０の製造方法において、上記の平行光１２とホログラム１１からの反射光１３の光量のアンバランスも解決している。
【００７２】
なお、透明回転テーブル１４の下面外周には、アドレスマーカー１４ａを設けており、このアドレスマーカー１４ａを利用して、透明回転テーブル１４の回転制御を行う様になっている。
【００７３】
図４〜図１４は、図１〜図３の共役マスターディスク１９を用いて記録媒体（図１０の４０）を製造する工程を説明するものである。
【００７４】
なお、図１〜図３は上述のごとく、共役マスターディスク１９を製造するための製造装置を示し、また図４〜図１４は記録媒体（図１０の４０）を製造するための製造装置を示し、これらの両装置は別の製造装置ではあるが、基本的な構造は類似しているので、同じ部品には、同じ符号を付して、説明を簡略化する。
【００７５】
図４においては、図１のダミーディスク２２に代えてブランクディスク４１を、図３の状態の共役マスターディスク１９に重合させる。
【００７６】
その後、これら透明回転テーブル１４、共役マスターディスク１９、ブランクディスク４１の重合体の、透明回転テーブル１４下側外から、この重合体に向けて参照光２９を入射させるとともに、この重合体のブランクディスク４１上側外から、この重合体に向けて記録光３０を入射させることで、記録媒体（図１０の４０）を製造しようとしている。
【００７７】
ただし、この記録媒体（図１０の４０）の製造装置においては、ブランクディスク４１に向けて進む記録光３０の光路中で、ミラー３４、３６間に１／４波長板４２を介在させている。また、ミラー３６とブランクディスク４１間に、図１では存在していた球面収差補正素子３７、対物レンズ３８は存在しない。
【００７８】
図４においては、先ず光源２６から、図４（ｂ）に示す様に波長が４０７ｎｍのレーザー光（長コヒーレント光）を出射する。
【００７９】
この図４においては、光源２６から出射されるレーザー光をＳ偏光としており、これがレンズ２７で平行光に変換され、その後ハーフミラー２８で分岐され、その一方は直進して参照光２９となり、他方は反射して記録光３０となる。
【００８０】
参照光２９は次にミラー３１で反射し、上記透明回転テーブル１４、共役マスターディスク１９、ブランクディスク４１の積層体の下側から、つまり透明回転テーブル１４側から上方に進むこととなる。
【００８１】
一方、記録光３０は、レンズ３２、３３を介して直進後、ミラー３４で反射し、次にパワー変調素子３５、１／４波長板４２を通過し、その後ミラー３６で反射し、上記透明回転テーブル１４、共役マスターディスク１９、ブランクディスク４１の積層体の上側から、つまりブランクディスク４１側から下方に進むこととなる。
【００８２】
この時、透明回転テーブル１４、共役マスターディスク１９、ブランクディスク４１の積層体は、回転軸１６を介してモータにより回転駆動されている。
【００８３】
そしてこの状態で、積層体の上面側のミラー３６は、外方に移動し、またこの移動と連動する様に、積層体の下面側のミラー３１も外方に移動する。
【００８４】
図５は上述した参照光２９の進行状態を示し、参照光２９は、先ずは透明回転テーブル１４、共役マスターディスク１９を通過し、ブランクディスク４１へと向かう。
【００８５】
この時、ブランクディスク４１の下面、つまり共役マスターディスク１９側には、共役マスターディスク１９側からブランクディスク４１に向けて、１／４波長膜４３、機能性膜４４が順番に設けられている。
【００８６】
機能性膜４４は、右旋回反射、左旋回透過の機能を持つものである。
【００８７】
したがって、上記透明回転テーブル１４、共役マスターディスク１９を通過し、ブランクディスク４１へと向かう参照光２９は、この図５に示す様に機能性膜４４によって反射されることになる。
【００８８】
ただし、この反射により、参照光２９は１／４波長膜４３を往復で２度通過することで、Ｓ偏光平行光からＰ偏光平行光へと変更される。
【００８９】
そしてこのＰ偏光平行光となった参照光２９が、図７のごとく共役マスターディスク１９内のホログラム３９で反射し、再びそれがブランクディスク４１へと進行することになる。
【００９０】
この時、１／４波長膜４３を通過することで、今度は左旋回となるので、機能性膜４４を通過し、ブランクディスク４１へと進行する。
【００９１】
一方、記録光３０は図８のごとく、１／４波長膜４３を通過することで右旋回となって、ブランクディスク４１内へと進行する。
【００９２】
この結果、ブランクディスク４１内においては、下方よりの左旋回の参照光２９と、上方よりの右旋回の記録光３０が干渉し、図１０〜図１２に示すごとく渦巻帯状のホログラム４５が多段状態で形成される。
【００９３】
つまり、ブランクディスク４１内のホログラム４５は、図１０〜図１２に示すごとく一本ずつ渦巻帯状で、この渦巻帯が所定間隔で多段状態に設けられているのである。
【００９４】
また、ブランクディスク４１内に形成されるホログラム４５は、図８のごとく共役マスターディスク１９内のホログラム３９で反射収束された参照光２９と記録光３０が衝突状態で形成されるものである。このため、共役マスターディスク１９内のホログラム３９で反射収束された参照光２９と記録光３０の光量がほぼ等しくなる様に調整することにより、感光性記録材料の利用効率が高くなり、反射効率が高いホログラム４５を作ることができるのである。
【００９５】
図１０〜図１２は、図４〜図９の工程で、ブランクディスク４１を記録媒体４０化したものであり、これらの図１０〜図１２に示す様に記録媒体４０内には、渦巻帯状のホログラム４５が多段状態で形成されている。
【００９６】
この記録媒体４０への情報記録と、その後の再生は、記録再生装置（図示せず）で行うことになるが、記録時は、図１３に示す様に記録再生用のレンズ４６で、例えば「デジタル信号の１」に相当する場所のホログラム４５部分に記録再生光４７（波長４０５ｎｍ）を収束し、その部分のホログラム４５を消失させる。逆に「デジタル信号の０」に相当する部分のホログラム４５部分には光を照射せず、これによりホログラム４５を残す。
【００９７】
その後、以上のごとく記録した情報を再生する時には、図１４に示すごとく波長４０５ｎｍの記録再生光４７を図１３のごとくレンズ４６を介してホログラム４５に照射し、そこからの反射光からデジタル信号の再生を行う。
【００９８】
なお、再生時には、記録媒体４０が連続的に高速回転しており、記録再生光４７の照射時間が極めて短時間であり、また照射パワーも記録時に比較して、非常に低く、よってホログラム４５が劣化することはない。
【００９９】
また、以上図４〜図１４を用いて説明した記録媒体（図１０の４０）の製造時において用いるブランクディスク４１の下面には、つまり共役マスターディスク１９側には、共役マスターディスク１９側からブランクディスク４１に向けて、１／４波長膜４３、機能性膜４４を設けている。
【０１００】
すなわち、本実施形態では、ブランクディスク４１を用いて、記録媒体（図１０の４０）を製造するに際し、図５で説明した様に、参照光２９を、機能性膜４４によって反射させ、１／４波長膜４３を往復で２度通過させ、Ｓ偏光平行光からＰ偏光平行光へと変更させる。そして、Ｐ偏光平行光となった参照光２９を、図７のごとく共役マスターディスク１９内のホログラム３９で反射させ、再びブランクディスク４１へと進行させ、１／４波長膜４３、機能性膜４４を通過させ、ブランクディスク４１へと進行させる様にしている。
【０１０１】
このため、図１〜図３に示す共役マスターディスク１９の製造時でも、この共役マスターディスク１９とダミーディスク２２間を通過する光の屈折率を、図４〜図１４の記録媒体（図１０の４０）製造時の、共役マスターディスク１９とブランクディスク４１間の屈折率と合わせることを目的として、前記ダミーディスク２２の共役マスターディスク１９側に、ダミーの１／４波長膜４３ａと、ダミーの機能性膜４４ａを設けている。
【０１０２】
以上の説明により、本実施形態の基本的な構成、作用が理解されたところで、以下に本実施形態における最も大きな特徴点について説明する。
【０１０３】
すなわち、本実施形態においては、図１〜図３により共役マスターディスク１９を製造し、次に図４〜図１２により記録媒体４０を製造し、その後、図１３〜図１４により記録媒体４０へ記録し、その後で記録媒体４０の再生を行う。
【０１０４】
そこで、本実施形態では、図１の共役マスターディスク１９製造時には、光源２６から波長が４０９ｎｍのレーザー光を出射する様にしており、また図４の記録媒体４０製造時には、光源２６から波長が４０７ｎｍのレーザー光を出射する様にしており、さらに図１３の記録時やその後の再生時には光源（図示せず）から波長が４０５ｎｍの記録再生光４７を照射し、これにより、最終的な、記録媒体４０への記録と、その後の再生が安定する様にしている。
【０１０５】
つまり、図１の共役マスターディスク１９製造時には光源２６から波長が４０９ｎｍのレーザー光を出射させる様にしている。
【０１０６】
本実施形態においては、図２を用いて詳述した様に、共役マスターディスク１９製造時には、高エネルギーの参照光２９と高エネルギーの記録光３０とを、共役マスターディスク１９内において直接的に干渉させる。
【０１０７】
このため、この干渉部において、常温（例えば２０度）から温度上昇（例えば約７０度）が生じており、この温度上昇で共役マスターディスク１９は膨張し、そしてこの様に共役マスターディスク１９自体が膨張した状態で、図３のごとく、ホログラム３９が形成される。
【０１０８】
ところが、図４の記録媒体４０製造時には、共役マスターディスク１９内で光の干渉状態が発生しないので、この共役マスターディスク１９は、例えば常温よりも１０度程度しか温度上昇しない。
【０１０９】
このため、共役マスターディスク１９のホログラム３９部分は、図１〜図３の時よりも収縮した状態となり、そしてこの様に共役マスターディスク１９が収縮した状態、つまりその内部のホログラム３９部分も、図１〜図３の時よりも収縮した共役マスターディスク１９を用いて、記録媒体４０が形成されることになる。
【０１１０】
このため、共役マスターディスク１９のホログラム３９の収縮度合いを考慮し、図４〜図１２の記録媒体４０製造時には、光源２６から出射されるレーザー光の波長を４０７ｎｍと、図１〜図３の共役マスターディスク１９を製造時よりも若干短くし、これにより記録媒体４０を製造している。
【０１１１】
ただし、この記録媒体４０製造時には、共役マスターディスク１９のホログラム３９からの収束光（参照光２９）と、強い記録光３０がブランクディスク４１（これが上述のごとく最終的には記録媒体４０となる）内で衝突し、干渉状態となるので、このブランクディスク４１（記録媒体４０）自身は、例えば常温よりも、例えば７０度温度上昇し、この温度上昇した状態で記録媒体４０は形成される。
【０１１２】
また、この様にして完成状態となった記録媒体４０に記録を行う時には、図１３に示す様に記録媒体４０の片側から記録再生光４７を照射する。
【０１１３】
この記録媒体４０への情報記録と、その後の再生は、記録再生装置（図示せず）で行うことになるが、記録時は、図１３に示す様に記録再生用のレンズ４６で、例えば「デジタル信号の１」に相当する場所のホログラム４５部分に記録再生光４７（波長４０５ｎｍ）を収束し、その部分のホログラム４５を消失させる。
【０１１４】
逆に「デジタル信号の０」に相当する部分のホログラム４５部分には光を照射せず、これによりホログラム４５を残す。
【０１１５】
なお、この記録媒体４０への情報記録時には、記録再生用のレンズ４６により、記録媒体４０内の特定部分に記録再生光４７（波長４０５ｎｍ）を集中させるが、記録はホログラム４５を消失させることにより行われ、新たにホログラムを作成するわけではないので、記録時に記録媒体４０の温度が上昇しても、消失させずに残したホログラム４５部分は、何の影響も受けない。
【０１１６】
また、この様にして情報記録された記録媒体４０を用いて、その情報を再生する時には、図１４に示す波長４０５ｎｍの記録再生光４７を図１３のごとくレンズ４６を介してホログラム４５に照射し、そこからの反射光からデジタル信号の再生を行う。
【０１１７】
この、再生時には、記録媒体４０が連続的に高速回転しており、記録再生光４７の照射時間が極めて短時間であり、また照射パワーも記録時に比較しても、非常に低く、記録媒体４０が、殆ど温度上昇しない状況で、再生が行われる。この記録媒体４０製造時には、このブランクディスク４１（記録媒体４０）自身は、例えば常温よりも、例えば７０度温度上昇し、この温度上昇した状態で記録媒体４０は形成されたので、記録再生光４７の波長は、上記の温度差によるホログラム４５の収縮度合いを考慮して、記録媒体４０作製時のレーザー光の波長より若干短めの４０５ｎｍとしている。こうすることによって、膨張、収縮状態の影響を受けることの無い状態で、記録、再生が行えるので、この記録、再生が安定的に行われるのである。
【０１１８】
また、この再生時には、上述のごとく、記録媒体４０が連続的に高速回転しており、記録再生光４７の照射時間が極めて短時間であり、また照射パワーも記録時に比較しても、非常に低いので、上述した「記録後のホログラム４５」が劣化することもない。
【０１１９】
以上のごとく、本実施形態によれば、多層に記録、再生が可能な記録媒体４０を用いた時の、記録、再生状態を安定させることができる。
【産業上の利用可能性】
【０１２０】
以上の様に本発明は、内部に、多層状態でホログラムを有する記録媒体への記録時、または再生時に、この記録媒体の一面側から光を照射する記録媒体の情報記録、再生方法であって、前記記録時、または再生時に、前記記録媒体の一面側からホログラムに照射する光の波長を、この記録媒体の内部にホログラムを形成する時に、この記録媒体に共役マスターディスクを重合させ、この重合体の一面側と他面側の一方から、この重合体に入射させる参照光の波長、および前記重合体の一面側と他面側の他方から、この重合体に入射させる記録光の波長よりも、短くしたものであるので、記録媒体の記録、または再生が安定的に行えることになる。
【０１２１】
すなわち、本発明において用いる記録媒体は、その内部にホログラムを形成する時に、この記録媒体に共役マスターディスクを重合させ、この重合体の一方から、参照光をこの重合体に入射させ、他方から、記録光をこの重合体に入射させることにより上述したホログラムを形成している。
【０１２２】
すなわち、記録媒体は温度上昇した状態で製造されているので、これには温度上昇による影響が残った状態となっている。
【０１２３】
また、この記録媒体の記録、または再生時には、前記記録媒体の一面側からホログラムに光を照射するだけなので、この記録媒体は殆ど温度上昇しない。
【０１２４】
つまり、記録媒体製造時に残った温度上昇による影響は、今度は熱収縮状態としてこの記録媒体に残った状態となる。
【０１２５】
このため、本発明では、この記録時、または再生時に、前記記録媒体の一面側からホログラムに照射する光の波長を、上述した記録媒体内部のホログラムを形成時の参照光および記録光の波長よりも、短くした。
【０１２６】
すなわち、この記録時、または再生時には、記録媒体自体がそのホログラム形成時よりも熱収縮しているので、この記録時、または再生時に、記録媒体の一面側からホログラムに照射する光の波長を、上述した記録媒体内部のホログラムを形成時の参照光および記録光の波長よりも、短くした。
【０１２７】
この結果、記録媒体製造時に残った温度上昇による影響を受けることなく、記録媒体の記録、または再生が行えるので、この記録、または再生が安定的に行えることになるのである。
【０１２８】
このため、光情報記録装置として、広く活用が期待される。
【符号の説明】
【０１２９】
１４    透明回転テーブル
１４ａ    アドレスマーカー
１５    中心孔
１６    回転軸
１７，１８    突起
１９    共役マスターディスク
２０，２１    突起
２２    ダミーディスク
２３，２４    中心孔
２５    蓋
２６    光源
２７，３２，３３，４６    レンズ
２８    ハーフミラー
２９    参照光
３０    記録光
３１，３４，３６    ミラー
３５    パワー変調素子
３７    球面収差補正素子
３８    対物レンズ
３９，４５    ホログラム
４０    記録媒体
４１    ブランクディスク
４２    １／４波長板
４３    １／４波長膜
４３ａ    ダミーの１／４波長膜
４４    機能性膜
４４ａ    ダミーの機能性膜
４７    記録再生光
【図１】
2011023049.tif 000003
【図２】
2011023049.tif 000004
【図３】
2011023049.tif 000005
【図４】
2011023049.tif 000006
【図５】
2011023049.tif 000007
【図６】
2011023049.tif 000008
【図７】
2011023049.tif 000009
【図８】
2011023049.tif 000010
【図９】
2011023049.tif 000011
【図１０】
2011023049.tif 000012
【図１１】
2011023049.tif 000013
【図１２】
2011023049.tif 000014
【図１３】
2011023049.tif 000015
【図１４】
2011023049.tif 000016
【図１５】
2011023049.tif 000017
【図１６】
2011023049.tif 000018
【図１７】
2011023049.tif 000019
【図１８】
2011023049.tif 000020